(57)【要約】      （修正有）【課題】コストが低下し、容易に組み立てることができる特長を備えるスチームトラップを提供する。【解決手段】多流路管体と、コンデンシングユニット２０と、コンデンシングユニットワッシャー３０と、第一の結合部材２０７とを含む。コンデンシングユニット２０は、開口２０１と、空気室２０２と、貫通孔２０３と、ノズル２０８と、集水孔２０４と、内縁壁２０５と、第一のリード角２０６とを備え、第一のリード角２０６がコンデンシングユニット２０の内縁壁周りに環設され、コンデンシングユニットワッシャー３０は第一のリード角２０６に対応する第二のリード角３０１を有し、かつ第一のリード角２０６に当接している。第一の結合部材２０７が前記コンデンシングユニット２０の開口に互いに結合してコンデンシングユニットワッシャー３０を押し付ける。【選択図】図２
0003184441.tif 000002
【実用新案登録請求の範囲】
【請求項１】
空気取り入れ口と、排水口とを有する多流路管体と、
前記多流路管体内に封止されるとともに前記空気取り入れ口と前記排水口との間に位置し、開口と、空気室と、貫通孔と、ノズルと、集水孔と、内縁壁と、第一のリード角とを備え、前記開口が前記空気室と連通して前記多流路管体の外に凸設されており、前記貫通孔が前記空気取り入れ口と連通し、かつ、前記ノズル内に凝縮水流路と凝縮水排出口とがさらに設けられ、前記凝縮水排出口が前記空気室と連通し、前記凝縮水流路の一端が前記凝縮水排出口と連通し、前記凝縮水流路の他端が前記空気取り入れ口と連通し、前記ノズルが前記貫通孔に密接され、前記集水孔が前記空気室及び前記排水口と連通し、前記集水孔と前記開口との距離が前記凝縮水排出口と前記開口との距離より大きく、前記第一のリード角が前記内縁壁周りに環設されているコンデンシングユニットと、
前記第一のリード角に対応する第二のリード角を有し、前記第二のリード角が前記第一のリード角に当接しているコンデンシングユニットワッシャーと、
前記コンデンシングユニットの開口に互いに結合して前記コンデンシングユニットワッシャーを押し付けている第一の結合部材と、を含む、
スチームトラップ。
【請求項２】
前記多流路管体は、前記多流路管体の外に突出して前記コンデンシングユニットと前記空気取り入れ口との間に位置されたろ過部をさらに備え、前記ろ過部は、ろ過室と、ろ過口と、第三のリード角と、第二の結合部材と、ろ過部ワッシャーとを有し、前記ろ過口が前記ろ過室と連通し、前記ろ過室が前記空気取り入れ口と連通し、前記第三のリード角が前記ろ過口の内縁周りに環設され、前記ろ過部ワッシャーは前記第三のリード角に対応する第四のリード角を有し、前記第四のリード角が前記第三のリード角に当接し、前記第二の結合部材が前記ろ過口に互いに結合して前記ろ過部ワッシャーを押し付けていることを特徴とする請求項１記載のスチームトラップ。
【請求項３】
前記ろ過室内にろ過網がさらに設けられ、前記ろ過網の一端が前記貫通孔に隣接されていることを特徴とする請求項２記載のスチームトラップ。
【請求項４】
前記第二の結合部材は、前記第二の結合部材に密接するフィルタプラグをさらに有することを特徴とする請求項２記載のスチームトラップ。
【考案の詳細な説明】
【技術分野】
【０００１】
本考案は、スチームトラップに係り、特に、コンデンシングユニットワッシャーで多流路管体に密接するスチームトラップに関する。
【背景技術】
【０００２】
従来、スチームトラップが使用するワッシャーは、スチームトラップとの密接の度合が劣るため、スチームトラップが作動する時に蒸気が漏えいしやすい問題があり、漏えいの回数が増えると、漏えい状況がますますひどくなっていた。ここで、従来のスチームトラップが使用するエンドキャップは、ワッシャーを押し付けるとき、嵌合方式でワッシャーを押し付けることが多く、メンテナンス時には、当該ワッシャーが既に変形され元の状態に復帰できないため、スチームトラップに再び密接させることができなかった。
このため、メンテナンスの際に取り外しが不便である他、部品交換のコストが向上していた。そこで、漏えいを効果的に抑制し、メンテナンスのコストを低下させ、容易に組み立てることができる特長を備えるようにスチームトラップを改良することが求められていた。
【０００３】
上記の問題点に対して、考案者は、長年に亘って関連製品の製造開発及び設計に従事した経験により、詳細に設計し慎重に評価した後、実用性のある本考案を考案した。
【考案の概要】
【考案が解決しようとする課題】
【０００４】
本考案は、前記スチームトラップ内におけるワッシャーの結合された箇所にリード角を有する設計により、漏えいを効果的に抑制し、メンテナンスのコストを低下させ、容易に組み立てることができる特長を備えるスチームトラップを提供することを主な目的とする。
【課題を解決するための手段】
【０００５】
前記目的を達成するため、本考案に係るスチームトラップは、多流路管体と、コンデンシングユニットと、コンデンシングユニットワッシャーと、第一の結合部材とを含む。
前記多流路管体は、空気取り入れ口と、排水口とを有する。前記コンデンシングユニットは、当該多流路管体内に封止されるとともに空気取り入れ口と排水口との間に位置し、前記コンデンシングユニットは、開口と、空気室と、貫通孔と、ノズルと、集水孔と、内縁壁と、第一のリード角とを備え、前記開口が前記空気室と連通して前記多流路管体の外に凸設されており、前記貫通孔が前記空気取り入れ口と連通する。
また、前記ノズル内に凝縮水流路と凝縮水排出口とがさらに設けられ、前記凝縮水排出口が前記空気室と連通し、前記凝縮水流路の一端が前記凝縮水排出口と連通し、前記凝縮水流路の他端が前記空気取り入れ口と連通し、前記ノズルが前記貫通孔に密接され、前記集水孔が前記空気室及び前記排水口と連通し、前記集水孔と開口との距離が前記凝縮水排出口と前記開口との距離より大きく、前記第一のリード角が前記コンデンシングユニットの内縁壁周りに環設されている。
前記コンデンシングユニットワッシャーは前記第一のリード角に対応する第二のリード角を有し、かつ前記第二のリード角が前記第一のリード角に当接している。前記第一の結合部材が前記コンデンシングユニットの開口に互いに結合して前記コンデンシングユニットワッシャーを押し付けている。
【０００６】
上記のようなスチームトラップでは、前記多流路管体は、前記多流路管体の外に突出して前記コンデンシングユニットと前記空気取り入れ口との間に位置されたろ過部をさらに備え、前記ろ過部は、ろ過室と、ろ過口と、第三のリード角と、第二の結合部材と、ろ過部ワッシャーとを有する。
前記ろ過口は前記ろ過室と連通し、前記ろ過室が前記空気取り入れ口と連通し、前記第三のリード角が前記ろ過口の内縁周りに環設され、前記ろ過部ワッシャーは前記第三のリード角に対応する第四のリード角を有し、かつ前記第四のリード角が前記第三のリード角に当接し、前記第二の結合部材が前記ろ過口に互いに結合して前記ろ過部ワッシャーを押し付けている。
【０００７】
上記のようなスチームトラップでは、ろ過室内にろ過網がさらに設けられ、前記ろ過網の一端が前記貫通孔に隣接されている。
【０００８】
上記のようなスチームトラップでは、前記第二の結合部材は、前記第二の結合部材に密接するフィルタプラグをさらに有する。
【０００９】
本考案の特徴、特点及び技術的内容をより深く理解するために、以下の本考案に係る詳細な説明及び添付の図面を参照されたい。前記添付図面は参考や説明のために供されるにすぎず、本考案を限定するものではない。
【図面の簡単な説明】
【００１０】
【図１】本考案に係るスチームトラップを示す外観斜視図である。
【図２】本考案に係るスチームトラップの部品分解図である。
【図３】本考案に係るスチームトラップを示す断面図である。
【図４】本考案に係るスチームトラップを示す部分断面図である。
【考案を実施するための形態】
【００１１】
図１〜図４に示すように、本考案のスチームトラップは、多流路管体１０と、コンデンシングユニット２０と、コンデンシングユニットワッシャー３０と、第一の結合部材２０７とを含み、多流路管体１０は、空気取り入れ口１０１と、排水口１０２とを有する。
コンデンシングユニット２０は、多流路管体１０内に封止されるとともに空気取り入れ口１０１と排水口１０２との間に位置し、コンデンシングユニット２０は、開口２０１と、空気室２０２と、貫通孔２０３と、ノズル２０８と、集水孔２０４と、内縁壁２０５と、第一のリード角２０６とを備える。開口２０１は空気室２０２と連通して多流路管体１０の外に凸設されており、貫通孔２０３が空気取り入れ口１０１と連通する。
また、ノズル２０８内に凝縮水流路２０８１と凝縮水排出口２０８２とがさらに設けられ、凝縮水排出口２０８２が空気室２０２と連通し、凝縮水流路２０８１の一端が凝縮水排出口２０８２と連通し、凝縮水流路２０８１の他端が空気取り入れ口１０１と連通し、ノズル２０８が貫通孔２０３に密接する。
集水孔２０４が空気室２０２及び排水口１０２と連通し、集水孔２０４と開口２０１との距離が凝縮水排出口２０８２と開口２０１との距離より大きく、第一のリード角２０６がコンデンシングユニット２０の内縁壁２０５周りに環設され、コンデンシングユニットワッシャー３０は第一のリード角２０６に対応する第二のリード角３０１を有する。
また、第二のリード角３０１は第一のリード角２０６に当接し、第一の結合部材２０７がコンデンシングユニット２０の開口２０１に互いに結合してコンデンシングユニットワッシャー３０を押し付けている。
【００１２】
多流路管体１０は、多流路管体１０の外に突出してコンデンシングユニット２０と空気取り入れ口１０１との間に位置されたろ過部４０をさらに備え、ろ過部４０は、ろ過室４０１と、ろ過口４０２と、第三のリード角４０３と、第二の結合部材４０４と、ろ過部ワッシャー５０とを有する。
ろ過口４０２はろ過室４０１と連通し、ろ過室４０１が空気取り入れ口１０１と連通し、第三のリード角４０３がろ過口４０２の内縁周りに環設され、ろ過部ワッシャー５０は第三のリード角４０３に対応する第四のリード角５０１を有する。
また、第四のリード角５０１が第三のリード角４０３に当接し、第二の結合部材４０４がろ過口４０２に互いに結合して過部ワッシャー５０を押し付けている。ろ過室４０１内にろ過網６０がさらに設けられ、ろ過網６０の一端が貫通孔２０３に隣接している。第二の結合部材４０４は、さらに、第二の結合部材４０４に密接するフィルタプラグ４０４１を有する。
【００１３】
図１〜図４に示すように、本考案のスチームトラップは、実際に運用する時に、多流路管体１０内は基準圧力に達すると作動可能になり、作動時に、高圧蒸気が多流路管体１０の空気取り入れ口１０１から進入し、さらにろ過網６０を介してろ過した後、ノズル２０８から凝縮水流路２０８１に進入し、さらに凝縮水排出口２０８２からコンデンシングユニット２０の空気室２０２に進入し、ノズル２０８の凝縮水流路２０８１を通るとき、ベンチュリ管の原理によって、高圧蒸気内部の水分を高圧蒸気自体から分離させ、分離された水分がさらに集水孔２０４を介して排水口１０２に連通して排出され、高圧蒸気を保留する目的を達する。
コンデンシングユニットワッシャー３０の第二のリード角３０１とコンデンシングユニット２０の内縁壁２０５の第一のリード角２０６との設計により、コンデンシングユニットワッシャー３０を使用時に密接させることが可能であり、多流路管体１０が作動するとき、漏えいの発生をより効果的に抑制し、かつ、第二の結合部材４０４により過部ワッシャー５０を押し付け、過部ワッシャー５０の第四のリード角５０１とろ過口４０２の第三のリード角４０３とを密接させ、同様に漏えい抑制の効果を達することができる。
多流路管体１０が閉作動の時に、第二の結合部材４０４とフィルタプラグ４０４１とを分離させることにより、ろ過室４０１内の余剰水分が排出される。余剰水分を排出した後は、多流路管体１０内で基準圧力に達すると改めて起動可能である。ろ過網６０を交換する必要があれば、第二の結合部材４０４をろ過口４０２から分離した後、ろ過室４０１からろ過網６０を取り出して交換を行わなければならない。
【００１４】
以上のように、コンデンシングユニットワッシャー３０の第二のリード角３０１とコンデンシングユニット２０の内縁壁２０５の第一のリード角２０６との設計により、コンデンシングユニットワッシャー３０を使用時に密接させることが可能である。
また、結合部材４０４により過部ワッシャー５０を押し付け、過部ワッシャー５０の第四のリード角５０１とろ過口４０２の第三のリード角４０３とを密接させ、同様に漏えい抑制の効果を達することができる。
そして、コンデンシングユニットワッシャー３０及び過部ワッシャー５０は、メンテナンスが容易で、変形し難く、常時交換する必要がない特長を有し、このため、コストを効率的に低下し、組み立てやすい特長を備え、実用性、進歩性及び安全性を高める。
【００１５】
以上、詳細に説明したが、当該技術を熟知する当業者であれば、本考案が前記目的を確かに達成できることが理解できるはずである。本考案は、確実に法の規定に合致しており、法に従って出願する。
前述した開示は、単に本考案の好ましい具体的な実施例に過ぎず、本考案の実用新案登録請求の範囲を限定するものではなく、いずれの本考案の実用新案登録請求の範囲及び明細書の内容によって実施した簡単的等価な変更や修飾なども、本考案の主張範囲内に納入されるべきことは言うまでもない。
【符号の説明】
【００１６】
１０        多流路管体
２０        コンデンシングユニット
３０        コンデンシングユニットワッシャー
４０        ろ過部
５０        ろ過部ワッシャー
６０        ろ過網
１０１      空気取り入れ口
１０２      排水口
２０１      開口
２０２      空気室
２０３      貫通孔
２０４      集水孔
２０５      内縁壁
２０６      第一のリード角
２０７      第一の結合部材
２０８      ノズル
３０１      第二のリード角
４０１      ろ過室
４０２      ろ過口
４０３      第三のリード角
４０４      第二の結合部材
５０１      第四のリード角
２０８１    凝縮水流路
２０８２    凝縮水排出口
４０４１    フィルタプラグ
【図１】
0003184441.tif 000003
【図２】
0003184441.tif 000004
【図３】
0003184441.tif 000005
【図４】
0003184441.tif 000006